(57)【要約】【課題】  暗渠内等の排水機場のコンパクトな吸込槽の開口面積から搬入、搬出が可能で、着脱も容易な横軸水中ポンプ設備を提供する。【解決手段】  ポンプケーシング１５の先端部に低水位の流水を案内する吸込カバー１６と、後端部に着脱フランジ１９を配設した横軸水中ポンプ１０を構成し、吸込槽２のコンパクトな開口面積から垂直近似状態で吊降ろし、或いは、横軸水中ポンプ１０を構成する一部分を上方に屈曲させて横軸水中ポンプ１０の全長を短縮して吸込槽２に吊降ろすもので、ポンプケーシング１５の上流側に全長が長くなる吸込カバー１６を接続しても、吸込槽２のコンパクトな開口面積の上部床９の開口１１から立軸渦巻ポンプと同様に横軸水中ポンプ１０を吸込槽２の内部に容易に搬出入が可能となり、横軸水中ポンプ１０の着脱も容易な横軸水中ポンプ設備となる。【選択図】      図１２
2014148899.tif 000002
【特許請求の範囲】
【請求項１】
羽根車（１７）を内蔵したポンプケーシング（１５）に吸込カバー（１６）と、着脱フランジ（１９）を配設して横軸水中ポンプ（１０）を構成し、吸込槽（２）の上部床（９）の開口（１１）から横軸水中ポンプ（１０）の一部あるいは全部を垂直近似状態で吊降ろし、着脱スタンド（６）に支架した第一吐出管（７）に横軸水中ポンプ（１０）の着脱フランジ（１９）を装着して、吸込槽（２）から吐出槽（３）に排水する排水機場において、
横軸水中ポンプ（１０）の着脱フランジ（１９）に連結クランク（２０）を突設し、着脱スタンド（６）に水平状に配設したクランク軸（２３）を配設して、吊設装置（２４）に掛止した横軸水中ポンプ（１０）を吸込槽（２）の上部床（９）の開口（１１）から吊降ろし、横軸水中ポンプ（１０）の着脱フランジ（１９）から突設した連結クランク（２０）を着脱スタンド（６）のクランク軸（２３）に係止させ、横軸水中ポンプ（１０）を自重により水平状に回動させて、着脱スタンド（６）に設置することを特徴とするポンプ設備における横軸水中ポンプの設置方法。
【請求項２】
羽根車（１７）を内蔵したポンプケーシング（１５）に吸込カバー（１６）と、着脱フランジ（１９）を配設して横軸水中ポンプ（１０）を構成し、吸込槽（２）の上部床（９）の開口（１１）から横軸水中ポンプ（１０）の一部あるいは全部を垂直近似状態で吊降ろし、着脱スタンド（６）に支架した第一吐出管（７）に横軸水中ポンプ（１０）の着脱フランジ（１９）を装着して、吸込槽（２）から吐出槽（３）に排水する排水機場において、
横軸水中ポンプ（１０）の着脱フランジ（１９）に枢着した回動軸（２６）に、先端部に係合凹部（２８、２８）を形成するＴ字状の係合部材（２７）を連結し、着脱スタンド（６）に立設したガイドレール（１２、１２）に係合部材（２７）の係合凹部（２８、２８）を係合させると共に、吊設装置（２４）に掛止した横軸水中ポンプ（１０）を吸込槽（２）の上部床（９）の開口（１１）から吊降ろし、予め定めた位置まで降下した後、横軸水中ポンプ（１０）を自重により水平状に回動させて着脱スタンド（６）に設置することを特徴とするポンプ設備における横軸水中ポンプの設置方法。
【請求項３】
上記横軸水中ポンプ（１０）のポンプケーシング（１５）と吸込カバー（１６）の上端部を屈曲可能に連結し、ポンプケーシング（１５）と吸込カバー（１６）を吊設装置（２４、３７）に吊上げて、吸込カバー（１６）を上方に屈曲させて、ポンプケーシング（１５）と着脱フランジ（１９）を水平状に吊設し、吸込槽（２）の上部床（９）の開口（１１）から吊降ろすことを特徴とする請求項１又は２に記載のポンプ設備における横軸水中ポンプの設置方法。
【請求項４】
上記横軸水中ポンプ（１０）のポンプケーシング（１５）と着脱フランジ（１９）の上端部を屈曲可能に連結し、吸込カバー（１６）と着脱フランジ（１９）を吊設装置（３７、４７）に吊上げて、ポンプケーシング（１５）と吸込カバー（１６）を上方に屈曲させて着脱フランジ（１９）を水平状に吊設し、吸込槽（２）の上部床（９）の開口（１１）から吊降ろすことを特徴とする請求項１又は２に記載のポンプ設備における横軸水中ポンプの設置方法。
【請求項５】
羽根車（１７）を内蔵したポンプケーシング（１５）に吸込カバー（１６）と、着脱フランジ（１９）を配設して横軸水中ポンプ（１０）を構成し、吸込槽（２）の上部床（９）の開口（１１）から横軸水中ポンプ（１０）の一部あるいは全部を垂直近似状態で吊降ろし、着脱スタンド（６）に支架した第一吐出管（７）に横軸水中ポンプ（１０）の着脱フランジ（１９）を装着して、吸込槽（２）から吐出槽（３）に排水する排水機場において、
横軸水中ポンプ（１０）の着脱フランジ（１９）に後方部をＵ字状に拡開した一対の連結クランク（２０、２０）を連結し、着脱スタンド（６）に設置した第一吐出管（７）からクランク軸（２３）を水平状に突設すると共に、クランク軸（２３）を連結クランク（２０）の拡開部の仮想降下移動圏内に対設させたことを特徴とするポンプ設備における横軸水中ポンプ。
【請求項６】
羽根車（１７）を内蔵したポンプケーシング（１５）に吸込カバー（１６）と、着脱フランジ（１９）を配設して横軸水中ポンプ（１０）を構成し、吸込槽（２）の上部床（９）の開口（１１）から横軸水中ポンプ（１０）の一部あるいは全部を垂直近似状態で吊降ろし、着脱スタンド（６）に支架した第一吐出管（７）に横軸水中ポンプ（１０）の着脱フランジ（１９）を装着して、吸込槽（２）から吐出槽（３）に排水する排水機場において、
横軸水中ポンプ（１０）の着脱フランジ（１９）に枢着した回動軸（２６）にＴ字状の係合部材（２７）を連結し、係合部材（２７）の先端部に形成する係合凹部（２８、２８）を、着脱スタンド（６）に立設した一対のガイドレール（１２、１２）に、吸込槽（２）の上部床（９）の開口（１１）近傍で係合可能としたことを特徴とするポンプ設備における横軸水中ポンプ。
【請求項７】
上記横軸水中ポンプ（１０）のポンプケーシング（１５）と吸込カバー（１６）の上端部を屈曲可能にヒンジ機構（３３）で連結し、横軸水中ポンプ（１０）を吸込槽（２）に吊降ろす時に、吸込カバー（１６）を上方に屈曲させて、ポンプケーシング（１５）と着脱フランジ（１９）を水平状に吊設することを特徴とする請求項５又は６に記載のポンプ設備における横軸水中ポンプ。
【請求項８】
上記横軸水中ポンプ（１０）のポンプケーシング（１５）と着脱フランジ（１９）の上端部を屈曲可能にヒンジ機構（４３）で連結し、横軸水中ポンプ（１０）を吸込槽（２）に吊降ろす時に、ポンプケーシング（１５）と吸込カバー（１６）を垂直近似状態に屈曲させて、着脱フランジ（１９）を水平状に吊設することを特徴とする請求項５又は６に記載のポンプ設備における横軸水中ポンプ。
【発明の詳細な説明】
【技術分野】
【０００１】
この発明は、暗渠内に設置して雨水や下水等の圧送に用いられる排水機場の横軸水中ポンプに関し、暗渠内のコンパクトな開口面積から搬入、搬出が可能なポンプ設備における横軸水中ポンプの設置方法及び横軸水中ポンプに関する。
【背景技術】
【０００２】
従来、排水機場の排水ポンプに水中ポンプを採用する場合、着脱式水中渦巻ポンプを使用することが一般的である。雨水等の排水ポンプとして使用するポンプゲート設備に低水位型横軸水中ポンプを利用しているが、近年では排水機場のポンプ設備をポンプの着脱構造に改良して低水位型横軸水中ポンプを採用する排水機場の建設が増加している。低水位型横軸水中ポンプを使用したポンプゲート設備は、例えば、上流側に吸込カバーを接続した第一ケーシングに羽根車を配設し、羽根車のモータ本体部を止水ゲート扉体に取付けられて下流側にフラップ弁を接続した第二ケーシングに挿入して、第一ケーシングを第二ケーシングに着脱自在としたポンプ装置が、特許文献１に記載してある。また、立軸渦巻ポンプを使用する地下式排水機場は、例えば、構築体に立軸渦巻ポンプを設置して上流側に吸込水路に連通する吸込水槽と下流側に河川に通じる吐出桶管を接続する吐出水槽を隣接させた地下式排水機場が、特許文献２に記載してある。
【先行技術文献】
【特許文献】
【０００３】
【特許文献１】特許第４８８９３３４号公報  （段落番号００２６及び段落番号００２７、図４）
【特許文献２】特許第３０８２０１７号公報  （段落番号０００２、図１及び図２）
【発明の概要】
【発明が解決しようとする課題】
【０００４】
横軸水中ポンプは立軸渦巻水中ポンプと比較して大流量の処理が可能であり、狭い暗渠内の雨水や下水等の圧送に用いれば効果的である。図１は、低水位型横軸水中ポンプを採用する排水機場の着脱式の横軸水中ポンプの側面図であって、地下式暗渠等に設置する排水機場１に吸込槽２と吐出槽３が並設してあり、吸込槽２と吐出槽３を仕切る吐出槽壁４に第二吐出管５を配設してある。第二吐出管５の吸込槽２側に着脱スタンド６に支架された第一吐出管７を連結し、第二吐出管５の吐出槽３側に逆流を防止するフラップ弁８を吊設してある。吸込槽２の上部床９に横軸水中ポンプ１０の搬出入用の開口１１が設けてあり、着脱スタンド６に立設した一対のガイドレール１２、１２を上部床９の開口１１の側端部に支架してある。吸込槽２の上部床９の開口１１から横軸水中ポンプ１０を吊降ろし、横軸水中ポンプ１０の後端部に立設した係合部材１３の係合凹部１４をガイドレール１２に係合し、ガイドレール１２に案内されて着脱スタンド６に設置する。横軸水中ポンプ１０を立軸渦巻水中ポンプと同様の吸込水位にするため、ポンプケーシング１５の上流側に吸込カバー１６を接続してある。
【０００５】
着脱式水中ポンプを排水ポンプに採用する排水機場では、土木構造として必然的にポンプを搬出入する開口を排水機場の吸込槽の上部床に設けなければならない。地下式排水機場の暗渠は上方に搬出入用の開口があり、その開口からポンプを搬入するが、水中モータが一体の横軸水中ポンプは、全長が長く搬出口の広い開口が必要である。横軸水中ポンプのポンプケーシングの上流側に吸込カバーを接続した低水位型横軸水中ポンプは、さらに全長が長くなるために吸込槽の上部床に大きな搬出入用開口が必要となる。また、水平状に吊設した横軸水中ポンプを搬入した後、暗渠内で吐出管に接続する施工が必要であり、設置工事に手間を要する。
この発明は、横軸水中ポンプの本体構造を工夫して、地下式暗渠等の排水機場の構造に生かしたコンパクトな搬入口の開口面積で、立軸渦巻水中ポンプと同様に搬出入が可能でポンプの着脱も容易にできるポンプ設備における横軸水中ポンプの設置方法及び横軸水中ポンプを提供する。
【課題を解決するための手段】
【０００６】
上記目的を達成するために、この発明の横軸水中ポンプの設置方法は、羽根車を内蔵したポンプケーシングに吸込カバーと、着脱フランジを配設して横軸水中ポンプを構成し、吸込槽の上部床の開口から横軸水中ポンプの一部あるいは全部を垂直近似状態で吊降ろし、着脱スタンドに支架した第一吐出管に横軸水中ポンプの着脱フランジを装着して、吸込槽から吐出槽に排水する排水機場において、横軸水中ポンプの着脱フランジに連結クランクを突設し、着脱スタンドに水平状に配設したクランク軸を配設して、吊設装置に掛止した横軸水中ポンプを吸込槽の上部床の開口から吊降ろし、横軸水中ポンプの着脱フランジから突設した連結クランクを着脱スタンドのクランク軸に係止させ、横軸水中ポンプを自重により水平状に回動させて、着脱スタンドに設置するもので、全長が長くなるポンプケーシングの上流側にさらに吸込カバーを接続しても、吸込槽の上部床のコンパクトな開口面積の開口から立軸渦巻ポンプと同様に横軸水中ポンプを吸込槽の内部に容易に搬出入が可能となり、横軸水中ポンプの着脱も容易な横軸水中ポンプ設備となる。
【０００７】
また、横軸水中ポンプの設置方法は、羽根車を内蔵したポンプケーシングに吸込カバーと、着脱フランジを配設して横軸水中ポンプを構成し、吸込槽の上部床の開口から横軸水中ポンプの一部あるいは全部を垂直近似状態で吊降ろし、着脱スタンドに支架した第一吐出管に横軸水中ポンプの着脱フランジを装着して、吸込槽から吐出槽に排水する排水機場において、横軸水中ポンプの着脱フランジに枢着した回動軸に、先端部に係合凹部を形成するＴ字状の係合部材を連結し、着脱スタンドに立設したガイドレールに係合部材の係合凹部を係合させると共に、吊設装置に掛止した横軸水中ポンプを吸込槽の上部床の開口から吊降ろし、予め定めた位置まで降下した後、横軸水中ポンプを自重により水平状に回動させて着脱スタンドに設置しても良いもので、吸込槽のコンパクトな上部床の開口から屈曲させた横軸水中ポンプを吊降ろすことができ、着脱スタンドへの着脱も容易な横軸水中ポンプ設備となる。
【０００８】
横軸水中ポンプのポンプケーシングと吸込カバーの上端部を屈曲可能に連結し、ポンプケーシングと吸込カバーを吊設装置に吊上げて、吸込カバーを上方に屈曲させて、ポンプケーシングと着脱フランジを水平状に吊設し、吸込槽の上部床の開口から吊降ろしても良いもので、横軸水中ポンプの着脱フランジを吐出管に装着し、吸込カバーを自重により水平状に回動させれば横軸水中ポンプを着脱スタンドに設置できる。
更に、横軸水中ポンプのポンプケーシングと着脱フランジの上端部を屈曲可能に連結し、吸込カバーと着脱フランジを吊設装置に吊上げて、ポンプケーシングと吸込カバーを上方に屈曲させて着脱フランジを水平状に吊設し、吸込槽の上部床の開口から吊降ろしても良いもので、横軸水中ポンプの着脱フランジを吐出管に装着し、ポンプケーシングと吸込カバーを自重により水平状に回動させれば横軸水中ポンプを着脱スタンドに設置できる。
【０００９】
ポンプの装着方法を実施するための横軸水中ポンプが、羽根車を内蔵したポンプケーシングに吸込カバーと、着脱フランジを配設して横軸水中ポンプを構成し、吸込槽の上部床の開口から横軸水中ポンプの一部あるいは全部を垂直近似状態で吊降ろし、着脱スタンドに支架した第一吐出管に横軸水中ポンプの着脱フランジを装着して、吸込槽から吐出槽に排水する排水機場において、横軸水中ポンプの着脱フランジに後方部をＵ字状に拡開した一対の連結クランクを連結し、着脱スタンドに設置した第一吐出管からクランク軸を水平状に突設すると共に、クランク軸を連結クランクの拡開部の仮想降下移動圏内に対設させたもので、吊り降ろした横軸水中ポンプに設けた連結クランクを着脱スタンドのクランク軸に係止させ、クランク軸を起点として横軸水中ポンプを自重により水平状に回動し、着脱スタンドに設置させることができる。垂直近似状態に吊設する横軸水中ポンプを吸込槽のコンパクトな上部床の開口から排水機場の内部に容易に搬出入が可能となり、横軸水中ポンプの着脱スタンドへの着脱も容易な横軸水中ポンプ設備となる。
【００１０】
或いは、ポンプの装着方法を実施するための横軸水中ポンプが、羽根車を内蔵したポンプケーシングに吸込カバーと、着脱フランジを配設して横軸水中ポンプを構成し、吸込槽の上部床の開口から横軸水中ポンプの一部あるいは全部を垂直近似状態で吊降ろし、着脱スタンドに支架した第一吐出管に横軸水中ポンプの着脱フランジを装着して、吸込槽から吐出槽に排水する排水機場において、横軸水中ポンプの着脱フランジに枢着した回動軸にＴ字状の係合部材を連結し、係合部材の先端部に形成する係合凹部を、着脱スタンドに立設した一対のガイドレールに、吸込槽の上部床の開口近傍で係合可能としたもので、吸込槽のコンパクトな上部床の開口から屈曲させた横軸水中ポンプを吊降ろすことができ、着脱スタンドへの着脱も容易な横軸水中ポンプ設備となる。
【００１１】
また、横軸水中ポンプのポンプケーシングと吸込カバーの上端部を屈曲可能にヒンジ機構で連結し、横軸水中ポンプを吸込槽に吊降ろす時に、吸込カバーを上方に屈曲させて、ポンプケーシングと着脱フランジを水平状に吊設したもので、吸込カバーを屈曲可能なクランク構造とすれば、横軸水中ポンプを吸込槽に吊降ろす時に、吸込カバーを上方に屈曲させて、ポンプケーシングと着脱フランジを水平状に吊降ろせば、全長が長くなる吸込カバーを設けた低水位型横軸水中ポンプでも、横軸水中ポンプの全長をコンパクト化して、排水機場の上部床に必要な搬出入用開口を縮小化が可能となる。
更に、横軸水中ポンプのポンプケーシングと着脱フランジの上端部を屈曲可能にヒンジ機構で連結し、横軸水中ポンプを吸込槽に吊降ろす時に、ポンプケーシングと吸込カバーを垂直近似状態に屈曲させて、着脱フランジを水平状に吊設することで、横軸水中ポンプの全長を短く出来て、排水機場の吸込槽に設置する上部床に大きな搬出入用開口を必要としない。
【発明の効果】
【００１２】
この発明の横軸水中ポンプの設置方法及び横軸水中ポンプは、羽根車を内蔵したポンプケーシングの先端部に低水位の流水を案内する吸込カバーと、後端部に着脱スタンドに装着する着脱フランジを配設し、横軸水中ポンプの本体構造を工夫して、立軸渦巻水中ポンプと同様に排水機場の構造に生かしたコンパクトな開口面積の搬入口から搬出入し、ポンプの着脱が容易にできるポンプ設備における横軸水中ポンプの設置方法と横軸水中ポンプとなる。
【図面の簡単な説明】
【００１３】
【図１】従来の排水機場に設置する着脱式の横軸水中ポンプである。
【図２】この発明に係る排水機場の吸込槽に設置する横軸水中ポンプの平面図である。
【図３】同じく、排水機場の吸込槽に設置する横軸水中ポンプの側面図である。
【図４】同じく、排水機場の吸込槽に設置する横軸水中ポンプの後面図である。
【図５】同じく、吸込槽と吐出槽を仕切る吐出槽壁に配設した第二吐出管に連結する吐出管を支架した着脱スタンドの平面図である。
【図６】同じく、吸込槽と吐出槽を仕切る吐出槽壁に配設した第二吐出管に連結する吐出管を支架した着脱スタンドの側面図である。
【図７】同じく、吸込槽と吐出槽を仕切る吐出槽壁に配設した第二吐出管に連結する吐出管を支架した着脱スタンドの前面図である。
【図８】同じく、吸込槽の着脱スタンドに垂直近似状態で吊降ろす横軸水中ポンプの側面図である。
【図９】同じく、吸込槽に吊降ろして着脱スタンドに設置する状態を示す横軸水中ポンプの側面図である。
【図１０】同じく、他の実施例の吸込槽に吊降ろす横軸水中ポンプの側面図である。
【図１１】同じく、横軸水中ポンプの平面図である。
【図１２】同じく、水槽に吊降ろして着脱スタンドに設置する状態を示す横軸水中ポンプの側面図である。
【図１３】同じく、他の実施例のポンプケーシングと吸込カバーの間を上方に屈曲可能とした横軸水中ポンプの側面図である。
【図１４】同じく、水槽に吊降ろして着脱スタンドに設置する状態を示す横軸水中ポンプの側面図である。
【図１５】同じく、他の実施例のポンプケーシングと着脱フランジの間を上方に屈曲可能とした横軸水中ポンプの側面図である。
【発明を実施するための形態】
【００１４】
図１に図示してある従来の排水機場に設置する着脱式の横軸水中ポンプと、本願発明のポンプ設備における横軸水中ポンプの設置方法及び横軸水中ポンプと共通する構成部品の名称は流用する。
この発明の実施例を図面に基づき詳述すると、図２乃至図４は、本願発明に係る排水機場の吸込槽に設置する横軸水中ポンプの平面図、側面図、及び後面図である。
吸込槽２に設置する横軸水中ポンプ１０は、ポンプケーシング１５に羽根車１７と電動機１８を内蔵し、ポンプケーシング１５の先端部に低水位の流水を案内する吸込カバー１６と、後端部に着脱スタンド６に支架された第一吐出管７に装着する着脱フランジ１９を配設してある。横軸水中ポンプ１０の着脱フランジ１９の上壁部に後方をＵ字状に拡開した連結クランク２０を立設して、ポンプケーシング１５の頂壁部に吊環２１を設けてある。
図５乃至図７は、吸込槽と吐出槽を仕切る吐出槽壁に配設した第二吐出管に連結する吐出管を支架した着脱スタンドの平面図、側面図、及び前面図である。
着脱スタンド６に支架した第一吐出管７の外周両側壁のリブ２２、２２と、着脱スタンド６に立設した一対のガイドレール１２、１２の下端部から突設したリブ２２・・・に支えられたクランク軸２３が水平状に配設してある。横軸水中ポンプ１０を吸込槽２の上部床９の開口１１から垂直近似状態で吊降ろした時の連結クランク２０の仮想降下移動圏内に水平状のクランク軸２３を対設してある。
【００１５】
図８は、吸込槽の着脱スタンドに垂直近似状態で吊降ろす横軸水中ポンプの側面図、図９は吸込槽に吊降ろして着脱スタンドに設置する状態を示す横軸水中ポンプの側面図である。
図８に示すように、横軸水中ポンプ１０のポンプケーシング１５の中央上部に設けた吊環２１に吊設チエーン等の吊設装置２４を係止して横軸水中ポンプ１０を吊設し、吸込槽２の上部床９の開口１１から垂直近似状態で吸込槽２の内部に吊降ろすようにしてある。上部床９に設ける開口１１の面積について、広い面積（破線部）を必要としない。
図９に示すように、吸込槽２に垂直近似状態で吊降ろす横軸水中ポンプ１０は、着脱フランジ１９に立設して後方をＵ字状に拡開した連結クランク２０を仮想降下移動圏内の着脱スタンド６に配設した水平状のクランク軸２３に係止させる。横軸水中ポンプ１０を吊設した吊設装置２４を緩めていくと、クランク軸２３を起点として横軸水中ポンプ１０が自重により水平状に回動して着脱スタンド６に設置する。吸込槽２に垂直近似状態で横軸水中ポンプ１０を吊降ろすので、ポンプケーシング１５の上流側に吸込カバー１６を接続して全長が長くなった横軸水中ポンプ１０でもコンパクトな開口面積の上部床９の開口１１から吸込槽２の内部に容易に搬出入が可能となり、また、着脱も容易な横軸水中ポンプ設備となる。吸込カバー１６を接続した横軸水中ポンプ１０は立軸渦巻水中ポンプと同様の吸込水位となり、立軸渦巻水中ポンプと比較して大流量の処理が可能となる。ポンプを搬出入する排水機場において、吸込槽の上部床の開口が小さくなり、地下式排水機場等の狭い暗渠内の雨水や下水等の圧送に用いれば効果的である。
【００１６】
図１０は他の実施例の吸込槽に吊降ろす横軸水中ポンプの側面図、図１１は横軸水中ポンプの平面図、図１２は吸込槽に吊降ろして着脱スタンドに設置する状態を示す横軸水中ポンプの側面図である。
図１０及び図１１に示すように、横軸水中ポンプ１０は着脱フランジ１９の上壁部に立設した一対の取付座２５、２５に回動軸２６が回動自在に枢着してあり、回動軸２６にＴ字状の係合部材２７の基端部を連結して、左右に延設した先端部に係合凹部２８、２８を形成してある。横軸水中ポンプ１０に回動自在に連設した係合部材２７の係合凹部２８、２８を着脱スタンド６に立設して上部床９の開口１１の側端部に支架してある一対のガイドレール１２、１２に係合可能としてある。
図１０及び図１１に示すように、横軸水中ポンプ１０のポンプケーシング１５に設けた吊環２１に吊設装置２４を掛止して、着脱スタンド６に立設した吸込槽２の上部床９の開口１１に位置する一対のガイドレール１２、１２の上端部に、横軸水中ポンプ１０に回動自在に連設した係合部材２７の係合凹部２８、２８を係合させる。横軸水中ポンプ１０を垂直近似状態で吸込槽２の上部床９の開口１１から吊降ろし、横軸水中ポンプ１０に連設した係合部材２７の係合凹部２８、２８をガイドレール１２、１２に摺動案内させながら、横軸水中ポンプ１０を降下させる。
図１２に示すように、横軸水中ポンプ１０に連結した係合部材２７を予め定めた位置に降下させたときに当接するように係止杆２９を第一吐出管７に立設、あるいはガイドレール１２に配設する。横軸水中ポンプ１０を吊設した吊設装置２４を緩めていくと、ガイドレール１２、１２に摺動案内された係合部材２７が係止杆２９に当接する。係合部材２７に連結する回動軸２６を起点として、横軸水中ポンプ１０が自重により水平状に回動して着脱スタンド６に設置する。着脱スタンド６に支架された第一吐出管７に横軸水中ポンプ１０の着脱フランジ１９が接続される。着脱スタンド６に立設した一対のガイドレール１２、１２に沿って横軸水中ポンプ１０が案内されるので、横軸水中ポンプ１０の着脱フランジ１９が着脱スタンド６に支架された第一吐出管７に接続が容易で正確に合着でき、狭い暗渠内での設置工事も簡単に行える。
【００１７】
図１３は他の実施例のポンプケーシングと吸込カバーの間を上方に屈曲可能とした横軸水中ポンプの側面図であって、横軸水中ポンプ３０のポンプケーシング１５と吸込カバー１６の上端部をヒンジ機構３３で連結して吸込カバー１６を上方に屈曲可能としてある。横軸水中ポンプ１０のポンプケーシング１５の中央上部に吊環２１と、吸込カバー１６の先端上壁部に吊環３５を設けてあり、それぞれの吊環２１、３５に吊設装置２４、３７を掛止して横軸水中ポンプ１０を吊設した時に、ポンプケーシング１５と着脱フランジ１９を水平状に吊設し、吸込カバー１６を上方に屈曲可能としてある。
図１４は、図１３に示す横軸水中ポンプを水槽に吊降ろして着脱スタンドに設置する状態を示す横軸水中ポンプの側面図であって、横軸水中ポンプ１０の着脱フランジ１９の上壁部に連設した係合部材２７を着脱スタンド６の上端部に設置した係止杆２９に当接させる。ガイドレール１２、１２に摺動案内された係合部材２７が係止杆２９に当接し、着脱スタンド６に支架された第一吐出管７に横軸水中ポンプ１０の着脱フランジ１９が接続される。横軸水中ポンプ１０の吸込カバー１６を吊設した吊設装置３７を緩めていくと自重により吸込カバー１６が水平状に回動して横軸水中ポンプ１０を着脱スタンド６に設置する。吸込カバー１６を蝶番等のヒンジ機構３３で屈曲可能なクランク構造とすれば、横軸軸流水中ポンプ１０の全長をコンパクト化して、排水機場１の上部床９に必要な搬出入用の開口１１を縮小化が可能となる。全長が長くなる吸込カバー１６を設けた低水位型横軸水中ポンプでも、排水機場１に設置する上部床９  に大きな搬出入用の開口１１を必要としない。
尚、本実施例は横軸水中ポンプに係合部材を配設２７し、ガイドレール１２に摺動案内させて設置しているが、横軸水中ポンプに連結クランク２０を配設し、クランク軸２３に係止させてもよい。
【００１８】
図１５は他の実施例のポンプケーシングと着脱フランジの間を上方に屈曲可能とした横軸水中ポンプの側面図であって、横軸水中ポンプ１０のポンプケーシング１５と吸込カバー１６を連結して一体とし、ポンプケーシング１５と着脱フランジ１９の上端部を蝶番等のヒンジ機構４３で連結してポンプケーシング１５と着脱フランジ１９の間を屈曲可能としても良いものである。吸込カバー１６の先端上壁部と着脱フランジ１９の上壁部に吊環３５、４５を設け、それぞれの吊環３５、４５に吊設装置３７、４７を掛止して横軸水中ポンプ１０を吸込槽２に吊降ろす時に、ポンプケーシング１５と吸込カバー１６を垂直近似状態に屈曲させて、着脱フランジ１９を水平状に吊降ろしすれば、横軸水中ポンプ１０の全長が短くなり、排水機場１の吸込槽２の上部床９に大きな搬出入用の開口１１を必要としない。ポンプの着脱も容易な横軸水中ポンプ設備となる。
尚、本実施例は横軸水中ポンプに係合部材を配設２７し、ガイドレール１２に摺動案内させて設置しているが、横軸水中ポンプに連結クランク２０を配設し、クランク軸２３に係止させてもよい。
【産業上の利用可能性】
【００１９】
この発明に係る横軸水中ポンプの設置方法及び横軸水中ポンプは、ポンプケーシングの先端部に低水位の流水を案内する吸込カバーと、後端部に着脱フランジを配設した横軸水中ポンプを構成し、吸込槽のコンパクトな開口面積から垂直近似状態で吊降ろし、或いは、横軸水中ポンプを構成する一部分を上方に屈曲させて、横軸水中ポンプの全長を短縮して吸込槽に吊降ろすもので、ポンプケーシングの上流側に全長が長くなる吸込カバーを接続しても、吸込槽のコンパクトな開口面積の上部床の開口から立軸渦巻ポンプと同様に横軸水中ポンプを吸込槽の内部に容易に搬出入が可能となり、横軸水中ポンプの着脱も容易な横軸水中ポンプ設備となる。
従来の立軸渦巻ポンプを使用している排水機場にも、特別な改修工事を必要とせずに、大流量の排水が可能な横軸水中ポンプを容易に設置することが可能となる。
【符号の説明】
【００２０】
２    吸込槽
３    吐出槽
６    着脱スタンド
７    第一吐出管
９    上部床
１０  横軸水中ポンプ
１１  開口
１２  ガイドレール
１５  ポンプケーシング
１６  吸込カバー
１７  羽根車
１９  着脱フランジ
２０  連結クランク
２３  クランク軸
２４、３７、４７  吊設装置
２６  回動軸
２７  係合部材
２８  係合凹部
３３、４３  ヒンジ機構
【図１】
2014148899.tif 000003
【図２】
2014148899.tif 000004
【図３】
2014148899.tif 000005
【図４】
2014148899.tif 000006
【図５】
2014148899.tif 000007
【図６】
2014148899.tif 000008
【図７】
2014148899.tif 000009
【図８】
2014148899.tif 000010
【図９】
2014148899.tif 000011
【図１０】
2014148899.tif 000012
【図１１】
2014148899.tif 000013
【図１２】
2014148899.tif 000014
【図１３】
2014148899.tif 000015
【図１４】
2014148899.tif 000016
【図１５】
2014148899.tif 000017